(57)【特許請求の範囲】
【請求項１】
所定エリア内に設置された複数の光源と、
電波信号を前記所定エリア内に発信する１つ以上の電波送信装置と、
前記電波送信装置が発信した電波信号を受信することができ、かつ前記所定エリア内に存在するユーザによって携行可能な携行端末と、
前記携行端末が前記電波送信装置から受信した電波信号の強度に基づいて、前記複数の光源から制御対象の光源である対象光源を選択し、前記対象光源の点灯状態を制御する照明制御装置と、
前記対象光源の点灯状態に対する条件として、調光レベルの補正量を含む設定条件を記憶した条件記憶部と、を備え、
前記照明制御装置は、前記電波信号の強度に基づく前記対象光源の点灯状態を前記設定条件にしたがって補正する補正部をさらに備える
ことを特徴とする照明制御システム。
【請求項２】
前記照明制御装置は、前記対象光源の光出力を制御することを特徴とする請求項１記載の照明制御システム。
【請求項３】
前記照明制御装置は、前記対象光源が発する光色を制御することを特徴とする請求項１または２記載の照明制御システム。
【請求項４】
前記電波送信装置を複数備えており、
前記複数の電波送信装置のそれぞれは、個々の電波送信装置に固有の識別情報を付加した前記電波信号を前記所定エリア内に発信しており、
前記照明制御装置は、前記携行端末が前記複数の電波送信装置のそれぞれから受信した電波信号の強度および識別情報に基づいて、前記対象光源を選択し、前記対象光源の点灯状態を制御する
ことを特徴とする請求項１乃至３のいずれか一項に記載の照明制御システム。
【請求項５】
前記識別情報のそれぞれに１つ以上の光源を対応付けた対象記憶部をさらに備え、
前記照明制御装置は、前記携行端末が前記複数の電波送信装置のそれぞれから受信した電波信号の識別情報に対応する１つ以上の光源を前記対象光源として選択し、前記複数の電波送信装置のそれぞれから受信した電波信号の強度の相対関係に基づいて、前記対象光源の点灯状態を制御する
ことを特徴とする請求項４記載の照明制御システム。
【請求項６】
前記識別情報と当該識別情報を付与された電波送信装置の位置との対応関係を参照して、前記携行端末が前記複数の電波送信装置のそれぞれから受信した電波信号の強度に基づいて、前記所定エリア内における前記携行端末の位置を判定する位置判定部をさらに備えて、
前記照明制御装置は、前記携行端末の位置に基づいて、前記対象光源を選択し、前記対象光源の点灯状態を制御する
ことを特徴とする請求項４記載の照明制御システム。
【請求項７】
前記条件記憶部は、前記設定条件を複数の時間帯のそれぞれに対応付けており、
前記補正部は、現在時刻が属する時間帯に対応する前記設定条件を用いる
ことを特徴とする請求項１乃至６のいずれか一項に記載の照明制御システム。
【請求項８】
前記携行端末は、固有の端末情報を付与されており、
前記条件記憶部は、前記設定条件を前記端末情報に対応付けており、
前記携行端末は、自端末の端末情報に対応する前記設定条件をユーザ操作によって前記条件記憶部に記憶させる操作部を備え、
前記補正部は、前記電波送信装置から電波信号を受信した前記携行端末の前記端末情報に対応する前記設定条件を用いる
ことを特徴とする請求項１乃至７のいずれか一項に記載の照明制御システム。
【請求項９】
所定エリア内に設置された複数の光源と、電波信号を前記所定エリア内に発信する１つ以上の電波送信装置と、前記電波送信装置が発信した電波信号を受信することができ、かつ前記所定エリア内に存在するユーザによって携行可能な携行端末とを備える照明制御システムに用いられる照明制御装置であって、
前記携行端末と通信する通信部と、
前記携行端末が前記電波送信装置から受信した電波信号の強度に基づいて、前記複数の光源から制御対象の光源である対象光源を選択し、前記対象光源の点灯状態を制御する照明指令部と、
前記対象光源の点灯状態に対する条件として、調光レベルの補正量を含む設定条件を記憶した条件記憶部と、
前記電波信号の強度に基づく前記対象光源の点灯状態を前記設定条件にしたがって補正する補正部と
を備えることを特徴とする照明制御装置。
【発明の詳細な説明】
【技術分野】
【０００１】
本発明は、一般に照明制御システム、およびこれに用いられる照明制御装置に関し、より詳細には所定エリア内に設置された複数の照明器具を制御する照明制御システム、およびこれに用いられる照明制御装置に関する。
【背景技術】
【０００２】
従来、道路を照明する街灯を、通行人の有無によって制御する技術がある（たとえば、特許文献１参照）。具体的に、街灯の通信可能エリア内に通行人が存在しない場合、街灯は、低照度の照明を行う。一方、街灯の通信可能エリアに通行人が存在する場合、通行人が携行する携帯電話からの信号を街灯が受信し、信号を受信した街灯は、高照度の照明を行う。
【先行技術文献】
【特許文献】
【０００３】
【特許文献１】特開２００３−１５７９８４号公報
【発明の概要】
【発明が解決しようとする課題】
【０００４】
上記の特許文献１の技術では、通信可能エリア内における通行人の在、不在に応じてのみ、街灯を照明制御できる。しかしながら、通信可能エリア内に存在する通行人の位置に応じた照明制御を行うことはできなかった。
【０００５】
そこで、通信可能な所定エリア内に存在する人の位置に応じた照明制御を行うことができるシステムが求められていた。
【０００６】
本発明は、上記事由に鑑みてなされたものであり、その目的は、所定エリア内に存在する人の位置に応じた照明制御を行うことができる照明制御システム、およびこれに用いられる照明制御装置を提供することにある。
【課題を解決するための手段】
【０００７】
本発明の照明制御システムは、所定エリア内に設置された複数の光源と、電波信号を前記所定エリア内に発信する１つ以上の電波送信装置と、前記電波送信装置が発信した電波信号を受信することができ、かつ前記所定エリア内に存在するユーザによって携行可能な携行端末と、前記携行端末が前記電波送信装置から受信した電波信号の強度に基づいて、前記複数の光源から制御対象の光源である対象光源を選択し、前記対象光源の点灯状態を制御する照明制御装置と、前記対象光源の点灯状態に対する条件として、調光レベルの補正量を含む設定条件を記憶した条件記憶部と、を備え、前記照明制御装置は、前記電波信号の強度に基づく前記対象光源の点灯状態を前記設定条件にしたがって補正する補正部をさらに備えることを特徴とする。
【０００８】
本発明の照明制御装置は、所定エリア内に設置された複数の光源と、電波信号を前記所定エリア内に発信する１つ以上の電波送信装置と、前記電波送信装置が発信した電波信号を受信することができ、かつ前記所定エリア内に存在するユーザによって携行可能な携行端末とを備える照明制御システムに用いられる照明制御装置であって、前記携行端末と通信する通信部と、前記携行端末が前記電波送信装置から受信した電波信号の強度に基づいて、前記複数の光源から制御対象の光源である対象光源を選択し、前記対象光源の点灯状態を制御する照明指令部と、前記対象光源の点灯状態に対する条件として、調光レベルの補正量を含む設定条件を記憶した条件記憶部と、前記電波信号の強度に基づく前記対象光源の点灯状態を前記設定条件にしたがって補正する補正部とを備えることを特徴とする。
【発明の効果】
【０００９】
以上説明したように、本発明の照明制御システムは、所定エリア内に存在する人の位置に応じた照明制御を行うことができるという効果がある。
【００１０】
また、本発明の照明制御システムに用いられる照明制御装置も、所定エリア内に存在する人の位置に応じた照明制御を行うことができるという効果がある。
【図面の簡単な説明】
【００１１】
【図１】実施形態１のシステム構成を示すブロック図である。
【図２】実施形態１のサブシステムの構成を示すブロック図である。
【図３】実施形態１の動作を示すシーケンス図である。
【図４】実施形態２のシステム構成を示すブロック図である。
【図５】実施形態２の動作を示すシーケンス図である。
【図６】実施形態２の携行端末の構成を示すブロック図である。
【図７】実施形態３のシステム構成を示すブロック図である。
【発明を実施するための形態】
【００１２】
以下、本発明の実施の形態を図面に基づいて説明する。
【００１３】
（実施形態１）
本実施形態の照明制御システム１００は、工場、倉庫、店舗、事務所などの施設内の各フロアを制御エリアとしており、図１の構成では制御エリアＡ１を例示している。また、図２は、サブシステム４の構成を含むブロック構成を示す。なお、本実施形態において、照明制御システム１００のユーザとして、工場、倉庫、事務所などの作業者または就業者、店舗などの顧客を例示するが、これに限定されない。
【００１４】
照明制御システム１００は、電波送信装置１と、携行端末２と、照明制御装置３と、サブシステム４とを主構成として備えており、光源５の点灯状態を制御する。
【００１５】
制御エリアＡ１には、制御エリアＡ１内を照明するために、制御エリアＡ１の天井に複数の光源５が設置されている。制御エリアＡ１は矩形状であり、複数の光源５は、図１における制御エリアＡ１の上下方向（縦方向）および左右方向（横方向）のそれぞれに並んで配置されている。光源５は、ＬＥＤなどの発光部と、発光部に点灯電力を供給する点灯装置とを備えており、点灯装置は、外部からの指示にしたがって発光部の調光、調色を行う機能を有する。
【００１６】
制御エリアＡ１には複数の電波送信装置１が設置されており、電波送信装置１は、識別情報が付加された電波信号を制御エリアＡ１内に定期的に送信する。識別情報は、電波送信装置１に固有に割り付けられており、たとえば１６ｂｙｔｅのＵＵＩＤ（Universally Unique Identifier）である。すなわち、電波送信装置１は、自装置の識別情報を含む電波信号を定期的に送信する。電波送信装置１が電波信号の発信に用いる無線通信方式は、たとえばBluetooth（登録商標）、またはBluetooth Low Energy（BLE）などの近距離無線通信が用いられるが、特定の通信方式に限定されない。なお、複数の電波送信装置１を区別する場合、電波送信装置１１，１２，１３，．．．の符号を付す。
【００１７】
携行端末２は、スマートフォン、タブレット端末、携帯電話などのいずれかであり、人が携行して制御エリアＡ１内を移動可能に構成されている。携行端末２には、照明制御用のアプリケーションがインストールされており、携行端末２は、このアプリケーションを実行することで、電波送信装置１から電波信号を受信することができる。さらに、携行端末２は、アクセスポイントまたは移動体通信網などを経由して外部のインターネットなどの広域通信網ＮＴ１に接続し、広域通信網ＮＴ１上の照明制御装置３との間で通信を行うことができる。
【００１８】
照明制御装置３は、サーバ３１と、統合管理端末３２とで構成される。
【００１９】
サーバ３１は、通信部３１０、照明指令部３１１、対象記憶部３１２、制御ルール記憶部３１３を備える。そして通信部３１０は、広域通信網ＮＴ１を経由して、携行端末２、統合管理端末３２との間で通信を行うことができる。なお、サーバ３１は、１つのサーバコンピュータで構成される形態以外に、クラウドコンピューティングシステムで構成される形態であってもよい。
【００２０】
統合管理端末３２は、ビル毎に設けられており、広域通信網ＮＴ１に接続して、広域通信網ＮＴ１上のサーバ３１との間で通信を行うことができる。さらに、ビルの各フロアにはサブシステム４が設けられており、サブシステム４のそれぞれは、通信線Ｌ１を介して統合管理端末３２に接続している。なお、図１では、ビルの複数のフロアのうち、１つのフロアの制御エリアＡ１のみを図示している。
【００２１】
サブシステム４は、図２に示すように、光源５が接続される端末器４２ａ、スイッチ６１またはセンサ６２が接続される端末器４２ｂ、端末器４２ａ，４２ｂを通して照明制御を行う親機４１を含む。スイッチ６１あるいはセンサ６２が接続される端末器４２ｂは、スイッチ６１あるいはセンサ６２から光源５の点灯状態を変化させる情報を受け付ける。光源５が接続される端末器４２ａは、光源５の点灯と消灯とを制御する構成と、光源５の調光と調色との少なくとも一方を制御する構成とがある。センサ６２には、周囲の明るさを監視する明るさセンサ、所定の空間領域に人が存在するか否かを監視する人感センサ、周囲の温度を監視する温度センサなどがある。
【００２２】
なお、端末器４２ａと光源５、端末器４２ｂとスイッチ６１またはセンサ６２とは、一体となっていてもよい。
【００２３】
また、サブシステム４に付随して、光源５に給電する配線などが敷設される。
【００２４】
端末器４２ａ，４２ｂは、通信線Ｌ２を通して親機４１に接続され、親機４１と通信する。親機４１は、端末器４２ｂが受けた情報を取得し、取得した情報に応じて、端末器４２ａに光源５の点灯状態を制御する指示を与えるように構成されている。
【００２５】
端末器４２ａは、親機４１からの指示によって光源５のそれぞれの点灯、消灯、調光、調色を実行する。具体的に、端末器４２ａは、光源５のそれぞれへの電力供給路に設置されたリレーをオン、オフすることで、光源５の点灯、消灯を切り替えることができる。また、端末器４２ａは、光源５のそれぞれへ調光信号を送信することで、光源５を調光することができる。また、端末器４２ａは、光源５のそれぞれへ調色信号を送信することで、光源５を調色することができる。
【００２６】
ところで、このサブシステム４では、スイッチ６１あるいはセンサ６２と光源５との関係は親機４１が記憶する。すなわち、親機４１は、スイッチ６１あるいはセンサ６２と光源５との対応関係を管理し、また、スイッチ６１あるいはセンサ６２から取得した情報に対して光源５に与える指示の内容を管理している。たとえば、光源５の点灯と消灯とをどのスイッチ６１の操作に対応させるかという関係は親機４１が記憶している。また、センサ６２がどのような状態を検知したときに光源５の点灯状態をどうするかという関係も親機４１が記憶している。
【００２７】
このサブシステム４では、複数のスイッチ６１あるいはセンサ６２を区別するために識別情報が設定され、複数の光源５を区別するために識別情報が設定される。親機４１は、識別情報によって、スイッチ６１あるいはセンサ６２と光源５との対応関係を管理する。すなわち、親機４１では、スイッチ６１あるいはセンサ６２と光源５とを一対一に対応付けるだけではなく、スイッチ６１あるいはセンサ６２の１つを複数の光源５と一対多に対応付けることが可能である。この場合、スイッチ６１あるいはセンサ６２の１つで複数の光源５を一括して制御することが可能である。このような制御を一括制御と呼ぶ。たとえば、親機４１において、１つのスイッチ６１の識別情報に、複数の光源５の識別情報を結び付ける制御データを設定しておけば、１つのスイッチ６１で複数の光源５の点灯状態を一括して変化させることが可能である。一括制御には、グループ制御とパターン制御とがある。
【００２８】
グループ制御は、親機４１において、たとえば、１つのスイッチ６１の識別情報を、複数の光源５の識別情報に結び付けるように制御データが設定されることで実現される。つまり、グループ制御では、１つのスイッチ６１が操作されると、制御データに設定された複数の光源５が一括して同じ点灯状態となるように制御される。したがって、グループ制御では、１つのスイッチ６１の操作で、複数の光源５を一括して点灯させ、また１つのスイッチ６１の操作で、複数の光源５を一括して消灯させることが可能である。
【００２９】
パターン制御は、親機４１において、たとえば、１つのスイッチ６１の識別情報を、複数の光源５の識別情報および個々の点灯状態に結び付けるように制御データが設定されることで実現される。つまり、パターン制御では、１つのスイッチ６１が操作されると、制御データに設定された複数の光源５が制御データに設定された個々の点灯状態に一括して制御される。したがって、パターン制御では、１つのスイッチ６１の操作で、複数の光源５のそれぞれを互いに異なる調光レベルおよび光色に制御することが可能である。
【００３０】
なお、グループ制御およびパターン制御の説明において、スイッチ６１はセンサ６２に読み替えることが可能である。この種の遠隔監視制御を行うサブシステム４の技術は周知であり、サブシステム４の構成は要旨ではないから詳細な説明は省略する。
【００３１】
親機４１は、通信線Ｌ１を介して統合管理端末３２に接続している。さらに、統合管理端末３２は、ルータなどを経由して外部のインターネットなどの広域通信網ＮＴ１に接続し、広域通信網ＮＴ１上のサーバ３１との間で通信を行うことができる。そして、親機４１は、照明制御装置３（統合管理端末３２）からの信号によって制御エリアＡ１の光源５を制御する機能をさらに備える。
【００３２】
以下、本実施形態の照明制御システム１００の動作について、図３のシーケンスを用いて説明する。
【００３３】
図１において、複数の光源５は、制御エリアＡ１の縦方向および横方向のそれぞれに並んで配置されている。そして、制御エリアＡ１の横方向に沿って一列に並んでいる複数の光源５を１つの光源群５０とし、図１では、制御エリアＡ１に６つ光源群５０が形成されている。以降、６つの光源群５０のそれぞれを区別する場合、光源群５１〜５６と呼ぶ。光源群５１〜５６のそれぞれの一端には、電波送信装置１１〜１６がそれぞれ設置されている。電波送信装置１１〜１６は、自装置に固有の識別情報が付加された電波信号を制御エリアＡ１内に定期的に送信している。
【００３４】
そして、事前準備として、電波送信装置１１〜１６の各識別情報には光源群５１〜５６のいずれかが対応付けられており、サーバ３１の対象記憶部３１２には、電波送信装置１１〜１６の各識別情報と光源群５０との対応関係（回路対応情報）が登録（記憶）される（Ｓ１）。本実施形態では、電波送信装置１１に光源群５１が対応付けられ、電波送信装置１２に光源群５２が対応付けられ、電波送信装置１３に光源群５３が対応付けられている。さらに、電波送信装置１４に光源群５４が対応付けられ、電波送信装置１５に光源群５５が対応付けられ、電波送信装置１６に光源群５６が対応付けられている。
【００３５】
また、事前準備として、サーバ３１の制御ルール記憶部３１３には、照明制御装置３が実行する照明制御のルール（制御ルール）が登録される（Ｓ２）。本実施形態の制御ルールでは、電波送信装置１１〜１６のそれぞれが発信する電波信号を携行端末２が受信した際の受信強度の相対関係に基づいて、光源群５１〜５６のそれぞれの調光レベルが決定される。すなわち、電波送信装置１１〜１６のそれぞれと携行端末２との間の距離に基づいて、光源群５１〜５６のそれぞれの調光レベルが決定されることで、光源群５１〜５６のそれぞれの光出力が制御される。
【００３６】
具体的には、調光レベルが「１〜１０」の範囲内で段階的に設定可能であるとすると、受信強度が最も大きい電波送信装置１に対応する光源群５０の調光レベルが「８」に設定される。また、受信強度が２番目に大きい電波送信装置１に対応する光源群５０の調光レベルが「５」に設定される。また、受信強度が３番目に大きい電波送信装置１に対応する光源群５０の調光レベルが「２」に設定される。受信強度が４番目以下の電波送信装置１に対応する光源群５０は消灯制御される。なお、調光レベルは数字が大きいほど、光出力が大きくなり、調光レベル「１０」は全点灯状態に相当する。
【００３７】
そして、携行端末２を携行したユーザが制御エリアＡ１に入ると、携行端末２は、電波送信装置１１〜１６のそれぞれが発信する電波信号を受信する（Ｘ１）。電波送信装置１１〜１６のそれぞれが発信する電波信号を携行端末２が受信する強度（受信強度）は、制御エリアＡ１内における携行端末２の位置によって決まる。すなわち、制御エリアＡ１内の携行端末２の位置によって、携行端末２における電波信号の受信状況が変わる。一般に、携行端末２と電波送信装置１との間の距離が長いほど、受信強度は小さくなり、携行端末２と電波送信装置１との間の距離が短いほど、受信強度は大きくなる。
【００３８】
たとえば、図１に示すように、携行端末２が光源群５４の真下付近に位置すると仮定する。この場合、携行端末２は、最も近い電波送信装置１４の電波信号を受信強度「強」で受信し、２番目に近い電波送信装置１３，１５の各電波信号を受信強度「中」で受信し、３番目に近い電波送信装置１２，１６の各電波信号を受信強度「弱」で受信する。また、携行端末２は、最も遠い電波送信装置１１の電波信号を受信強度「微弱」で受信する。なお、受信強度は、大きい順に、「強」、「中」、「弱」、「微弱」に分類される。
【００３９】
そして、携行端末２は、電波信号の受信状況をサーバ３１へ送信する（Ｘ２）。この場合、携行端末２は、電波信号の受信状況として、電波送信装置１１〜１６のそれぞれの識別情報に受信強度を対応付けて、サーバ３１へ送信する。サーバ３１の照明指令部３１１は、携行端末２における電波信号の受信状況を制御ルールに照合して、光源５の点灯状態を指示する。
【００４０】
まず、照明指令部３１１は、携行端末２における電波信号の受信状況を回路対応情報に照合して、受信強度「強」「中」「弱」のいずれかとなる電波信号の識別情報に対応付けられている光源群５０（の光源５）を、制御対象となる対象光源として選択する。上述の制御ルールを適用した場合、携行端末２は、電波送信装置１２〜１６のそれぞれの電波信号を受信強度「強」「中」「弱」のいずれかで受信しているので、光源群５２〜５６が対象光源として選択される。
【００４１】
次に、照明指令部３１１は、携行端末２における電波信号の受信状況から、電波送信装置１２〜１６のそれぞれの電波信号の受信強度の相対関係を判定する。そして、照明指令部３１１は、この受信強度の相対関係を制御ルールに照合して、対象光源（光源群５２〜５６）のそれぞれの調光レベルを決定する。この場合、電波送信装置１２〜１６のうち、受信強度が最も大きい電波送信装置１４（受信強度「強」）に対応する光源群５４の調光レベルが「８」となる。また、受信強度が２番目に大きい電波送信装置１３，１５（受信強度「中」）に対応する光源群５３，５５の調光レベルが「５」となる。また、受信強度が３番目に大きい電波送信装置１２，１６（受信強度「弱」）に対応する光源群５２，５６の調光レベルが「２」となる。
【００４２】
照明指令部３１１は、対象光源である光源群５２〜５６のそれぞれの調光レベルを設定した調光信号を統合管理端末３２へ送信する（Ｘ３）。統合管理端末３２は、調光信号を中継して、制御エリアＡ１に対応するサブシステム４へ送信する（Ｘ４）。
【００４３】
サブシステム４では、親機４１が調光信号を受信する。そして、親機４１は、光源群５２〜５６を配下に有する端末器４２ａへ調光信号を送信する。端末器４２ａのそれぞれは、調光信号に基づいて配下の光源群５２〜５６のそれぞれを調光点灯させる。この場合、携行端末２（ユーザ）に最も近い光源群５４は調光レベル「８」で点灯し、携行端末２に２番目に近い光源群５３，５５は調光レベル「５」で点灯し、携行端末２に３番目に近い光源群５２，５６は調光レベル「２」で点灯する。
【００４４】
したがって、携行端末２を携行しているユーザに最も近い光源群５０の照度が最も高くなり、ユーザから離れた光源群５０ほど照度が低下するので、ユーザが作業をしやすい照明環境に制御でき、かつ省エネルギー化を図ることもできる。すなわち、照明制御システム１００によって、制御エリアＡ１内に存在する人の位置に応じた照明制御を行うことができる。
【００４５】
また、サーバ３１の制御ルール記憶部３１３に記憶されている制御ルールは、調光レベルに加えて光源群５１〜５６のそれぞれの光色がさらに決定されるルールであってもよい。すなわち、電波送信装置１２〜１６のそれぞれの電波信号の受信強度の相対関係に基づいて、光源群５１〜５６のそれぞれの光色が決定される。具体的に、受信強度が最も大きい電波送信装置１に対応する光源群５０の光色が昼光色に設定される。また、受信強度が２番目に大きい電波送信装置１に対応する光源群５０の光色が昼白色に設定される。また、受信強度が３番目に大きい電波送信装置１に対応する光源群５０の光色が電球色に設定される。すなわち、受信強度が低いほど、光色の色温度が低下する。
【００４６】
たとえば、携行端末２は、最も近い電波送信装置１４の電波信号を受信強度「強」で受信し、２番目に近い電波送信装置１３，１５の各電波信号を受信強度「中」で受信し、３番目に近い電波送信装置１２，１６の各電波信号を受信強度「弱」で受信したと仮定する。この場合、電波送信装置１２〜１６のうち、受信強度が最も大きい電波送信装置１４に対応する光源群５４の光色が昼光色となる。また、受信強度が２番目に大きい電波送信装置１３，１５に対応する光源群５３，５５の光色が昼白色となる。また、受信強度が３番目に大きい電波送信装置１２，１６に対応する光源群５２，５６の光色が電球色となる。
【００４７】
そして、照明指令部３１１は、対象光源である光源群５２〜５６のそれぞれの光色を設定した調色信号を統合管理端末３２へ送信する（Ｘ３）。統合管理端末３２は、調色信号を中継して、制御エリアＡ１に対応するサブシステム４へ送信する（Ｘ４）。
【００４８】
サブシステム４では、親機４１が調色信号を受信する。そして、親機４１は、光源群５２〜５６を配下に有する端末器４２ａへ調色信号を送信する。端末器４２ａのそれぞれは、調色信号に基づいて配下の光源群５２〜５６のそれぞれを調色点灯させる。
【００４９】
この場合、照明制御システム１００は、携行端末２を携行しているユーザの位置に応じた調色制御を行うことができるので、さらにユーザが作業をしやすい照明環境に制御できる。
【００５０】
また、照明制御システム１００では、上述の調光制御と調色制御との両方を行うことで、制御エリアＡ１の照明環境を特定の調光状態および特定の調色状態とするパターン制御が可能となる。
【００５１】
また、サーバ３１と統合管理端末３２とのそれぞれに制御ルールを分けて格納してもよい。たとえば、サーバ３１に格納される制御ルールは、受信強度の相対関係に基づいて、光源群５１〜５６のそれぞれの調光レベルを決定するルールであり、統合管理端末３２に格納される制御ルールは、受信強度の相対関係に基づいて、光源群５１〜５６のそれぞれの調色を決定するルールとする。
【００５２】
また、照明制御装置３は、サーバ３１と統合管理端末３２とを、１つのコンピュータで構成してもよい。
【００５３】
また、照明制御装置３の各部を携行端末２に搭載して、携行端末２がサブシステム４と直接通信することで、携行端末２が照明制御装置３として機能してもよい。
【００５４】
上述の照明制御システム１００は、所定エリア（制御エリアＡ１）内に設置された複数の光源５と、１つ以上の電波送信装置１と、携行端末２と、照明制御装置３とを備える。電波送信装置１は、電波信号を所定エリア内に発信する。携行端末２は、電波送信装置１が発信した電波信号を受信することができ、かつ所定エリア内に存在するユーザによって携行可能である。照明制御装置３は、携行端末２が電波送信装置１から受信した電波信号の強度に基づいて、複数の光源５から制御対象の光源である対象光源を選択し、対象光源の点灯状態を制御する。
【００５５】
したがって、照明制御システム１００は、所定エリア内に存在する人の位置に応じた照明制御を行うことができる。また、所定エリア内に品物や障害物などがある場合でも、携行端末２は電波送信装置１から電波信号を受信できるので、照明制御システム１００を用いる上で使い勝手がよくなる。
【００５６】
また、照明制御装置３は、対象光源の光出力を制御することが好ましい。
【００５７】
この場合、照明制御システム１００は、調光によって適切な照明環境に制御でき、さらには省エネルギー化を図ることも可能である。
【００５８】
また、照明制御装置３は、対象光源が発する光色を制御することが好ましい。
【００５９】
この場合、照明制御システム１００は、調色によって適切な照明環境に制御できる。
【００６０】
また、照明制御システム１００は、電波送信装置１を複数備えることが好ましい。この場合、複数の電波送信装置１（１１〜１６）のそれぞれは、個々の電波送信装置１に固有の識別情報を付加した電波信号を所定エリア内に発信している。照明制御装置３は、携行端末２が複数の電波送信装置１のそれぞれから受信した電波信号の強度および識別情報に基づいて、対象光源を選択し、対象光源の点灯状態を制御する。
【００６１】
したがって、複数の電波送信装置１を用いることで、携行端末２の位置をより精度よく判定できるので、照明制御システム１００は、所定エリア内に存在する人の位置に応じた照明制御をより精度よく行うことができる。
【００６２】
また、照明制御システム１００は、識別情報のそれぞれに１つ以上の光源５を対応付けた対象記憶部３１２をさらに備えることが好ましい。照明制御装置３は、携行端末２が複数の電波送信装置１のそれぞれから受信した電波信号の識別情報に対応する１つ以上の光源５を対象光源として選択する。そして、照明制御装置３は、複数の電波送信装置１のそれぞれから受信した電波信号の強度の相対関係に基づいて、対象光源の点灯状態を制御する。
【００６３】
したがって、照明制御装置３は、複数の電波送信装置１のそれぞれと携行端末２との間の距離に基づいて携行端末２の位置を判定し、対象光源の点灯状態を制御することができる。
【００６４】
また、上述の照明制御装置３は、照明制御システム１００に用いられる。照明制御システム１００は、所定エリア（制御エリアＡ１）内に設置された複数の光源５と、１つ以上の電波送信装置１と、携行端末２とを備える。電波送信装置１は、電波信号を所定エリア内に発信する。携行端末２は、電波送信装置１が発信した電波信号を受信することができ、かつ所定エリア内に存在するユーザによって携行可能である。そして、照明制御装置３は、携行端末２と通信する通信部３１０と、照明指令部３１１とを備える。照明指令部３１１は、携行端末２が電波送信装置１から受信した電波信号の強度に基づいて、複数の光源５から制御対象の光源である対象光源を選択し、対象光源の点灯状態を制御する。
【００６５】
したがって、照明制御装置３は、所定エリア内に存在する人の位置に応じた照明制御を行うことができる。
【００６６】
（実施形態２）
本実施形態の照明制御システム１００Ａは、図４に示すように、照明制御装置３が統合管理端末３２Ａを備える。そして、統合管理端末３２Ａが条件記憶部３２１、補正部３２２を備える点が実施形態１とは異なる。なお、実施形態１と同様の構成には同一の符号を付して、説明は省略する。
【００６７】
まず図５のシーケンスに示すように、事前準備として、統合管理端末３２Ａの条件記憶部３２１に、設定条件が登録される（Ｓ１１）。設定条件とは、対象光源の点灯状態に対する条件であり、調光レベルの補正量、最低調光レベル、最大調光レベル、光色の制限などが挙げられる。
【００６８】
以下、複数の時間帯のそれぞれに対応付けた調光レベルの補正量を設定条件として用いる場合について、説明する。
【００６９】
具体的に、８時〜１８時の時間帯における調光レベルの補正量が「±０」に設定され、１８時〜８時の時間帯における調光レベルの補正量が「＋２」に設定されている。この設定条件は、昼間は、外光が制御エリアＡ１に照射され、夜間は外光が制御エリアＡ１に照射されない環境を考慮しており、外光と照明光との両方で制御エリアＡ１を照明する形態である。すなわち、外光の有無または強弱に応じて、時間帯毎の補正量が設定されている。
【００７０】
そして、携行端末２を携行したユーザが制御エリアＡ１に入ると、携行端末２は、電波送信装置１が発信する電波信号を受信する（Ｘ１）。
【００７１】
たとえば、図４に示すように、携行端末２が光源群５４の真下付近に位置すると仮定する。この場合、携行端末２は、最も近い電波送信装置１４の電波信号を受信強度「強」で受信し、２番目に近い電波送信装置１３，１５の各電波信号を受信強度「中」で受信し、３番目に近い電波送信装置１２，１６の各電波信号を受信強度「弱」で受信する。また、携行端末２は、最も遠い電波送信装置１１の電波信号を受信強度「微弱」で受信する。
【００７２】
そして、携行端末２は、電波信号の受信状況をサーバ３１へ送信する（Ｘ２）。サーバ３１の照明指令部３１１は、実施形態１と同様に、携行端末２における電波信号の受信状況を制御ルールに照合して、対象光源（光源群５２〜５６の光源５）のそれぞれの調光レベルを決定する。この場合、電波送信装置１２〜１６のうち、受信強度が最も大きい電波送信装置１４に対応する光源群５４の調光レベルが「８」となる。また、受信強度が２番目に大きい電波送信装置１３，１５に対応する光源群５３，５５の調光レベルが「５」となる。また、受信強度が３番目に大きい電波送信装置１２，１６に対応する光源群５２，５６の調光レベルが「２」となる。
【００７３】
照明指令部３１１は、対象光源である光源群５２〜５６のそれぞれの調光レベルを設定した調光信号を統合管理端末３２Ａへ送信する（Ｘ３）。
【００７４】
統合管理端末３２Ａの補正部３２２は、条件記憶部３２１を参照して、照明指令部３１１から受信した調光信号で指示されている調光レベルのそれぞれを補正する（Ｓ１２）。条件記憶部３２１には、時間帯毎の補正量が登録されており、統合管理端末３２Ａは、調光信号で指示されている調光レベルのそれぞれを、現在時刻に対応する補正量で補正する。
【００７５】
具体的に、現在時刻が１２時であれば、補正量が「±０」であるので、補正部３２２は、光源群５４の調光レベルを「８」、光源群５３，５５の調光レベルを「５」、光源群５２，５６の調光レベルを「２」とする調光信号をサブシステム４へ送信する（Ｘ１１）。
【００７６】
また、現在時刻が２２時であれば、補正量が「＋２」であるので、補正部３２２は、光源群５４の調光レベルを「１０」、光源群５３，５５の調光レベルを「７」、光源群５２，５６の調光レベルを「４」とする調光信号をサブシステム４へ送信する（Ｘ１１）。
【００７７】
サブシステム４では、親機４１が補正部３２２から調光信号を受信する。そして、親機４１は、光源群５２〜５６を配下に有する端末器４２ａへ調光信号を送信する。端末器４２ａのそれぞれは、調光信号に基づいて配下の光源群５２〜５６のそれぞれを調光点灯させる。
【００７８】
この場合、時間帯毎に適した調光レベルに補正した調光信号に基づいて、制御エリアＡ１内が調光されるので、さらにユーザが作業をしやすい照明環境に制御できる。
【００７９】
また、本実施形態の変形例として、携行端末２に予め割り付けられている固有の端末情報を用いる形態について説明する。端末情報は、携行端末２に個別に予め割り付けられている識別情報であり、ユーザは、個々のユーザに１対１に対応する携行端末２を持ち歩いている。
【００８０】
そこで、携行端末２の端末情報のそれぞれに対応付けた調光レベルの補正量を設定条件として用いることで、ユーザの属性に応じた照明制御を行うことができる。
【００８１】
携行端末２は、図６に示すように、通信部２１、操作部２２、表示部２３を備える。通信部２１は、アクセスポイントまたは移動体通信網などを経由して広域通信網ＮＴ１に接続し、広域通信網ＮＴ１上の通信装置との間で通信を行う通信インターフェイスとして機能する。操作部２２は、操作ボタン、タッチパネルなどによって構成されており、ユーザによる操作を受け付ける。表示部２３は、アプリケーションの操作画面や、通信部２１を介して取得した画像データなどを表示する。
【００８２】
そして、携行端末２は、操作部２２のユーザ操作によって、自端末の端末情報を付加した設定条件を統合管理端末３２Ａへ送信することができる。統合管理端末３２Ａでは、受信した端末情報に受信した設定条件を対応付けて条件記憶部３２１に格納する。すなわち、ユーザは、自分自身で設定条件を作成して、条件記憶部３２１に記憶させることができる。たとえば、設定条件として、男性が携行する携行端末２の端末情報には、補正量「±０」が登録され、女性が携行する携行端末２の端末情報には、補正量「＋２」が登録される。
【００８３】
そして、携行端末２を携行したユーザが制御エリアＡ１に入ると、携行端末２は、電波信号の受信状況をサーバ３１へ送信する。このとき、携行端末２は、自端末の端末情報を電波信号の受信状況に付加して送信する。
【００８４】
サーバ３１の照明指令部３１１は、実施形態１と同様に対象光源である光源群５２〜５６のそれぞれの調光レベルを設定した調光信号を統合管理端末３２Ａへ送信する（Ｘ３）。このとき、照明指令部３１１が送信する調光信号には、携行端末２の端末情報が付加されている。
【００８５】
統合管理端末３２Ａの補正部３２２は、条件記憶部３２１を参照して、照明指令部３１１から受信した調光信号で指示されている調光レベルのそれぞれを補正する（Ｓ１２）。条件記憶部３２１には、端末情報毎の補正量が登録されており、統合管理端末３２Ａは、調光信号で指示されている調光レベルのそれぞれを、携行端末２の端末情報に対応する補正量で補正する。
【００８６】
具体的に、男性が携行する携行端末２であれば、補正量が「±０」であるので、補正部３２２は、光源群５４の調光レベルを「８」、光源群５３，５５の調光レベルを「５」、光源群５２，５６の調光レベルを「２」とする調光信号をサブシステム４へ送信する（Ｘ１１）。
【００８７】
また、女性が携行する携行端末２であれば、補正量が「＋２」であるので、補正部３２２は、光源群５４の調光レベルを「１０」、光源群５３，５５の調光レベルを「７」、光源群５２，５６の調光レベルを「４」とする調光信号をサブシステム４へ送信する（Ｘ１１）。
【００８８】
サブシステム４では、親機４１が補正部３２２から調光信号を受信する。そして、親機４１は、光源群５２〜５６を配下に有する端末器４２ａへ調光信号を送信する。端末器４２ａのそれぞれは、調光信号に基づいて配下の光源群５２〜５６のそれぞれを調光点灯させる。
【００８９】
この場合、ユーザ毎に適した調光レベルに補正した調光信号に基づいて、制御エリアＡ１内が調光されるので、さらにユーザが作業をしやすい照明環境に制御できる。
【００９０】
上述の照明制御システム１００Ａは、対象光源の点灯状態に対する条件である設定条件を記憶した条件記憶部３２１をさらに備えることが好ましい。また、照明制御装置３は、電波信号の強度に基づく対象光源の点灯状態を設定条件にしたがって補正する補正部３２２をさらに備えることが好ましい。
【００９１】
この場合、所定エリア内の人の位置だけでなく、さらなる設定条件に基づいて対象光源の点灯状態を設定できるので、照明環境をより適切に制御できる。
【００９２】
また、条件記憶部３２１は、設定条件を複数の時間帯のそれぞれに対応付けており、補正部３２２は、現在時刻が属する時間帯に対応する設定条件を用いることが好ましい。
【００９３】
この場合、所定エリア内の人の位置だけでなく、時間帯に応じた対象光源の点灯状態を設定できるので、照明環境を時間帯毎により細かく制御できる。
【００９４】
また、携行端末２は、固有の端末情報を付与されており、条件記憶部３２１は、設定条件を端末情報に対応付けており、携行端末２は、自端末の端末情報に対応する設定条件をユーザ操作によって条件記憶部３２１に記憶させる操作部２２を備える。そして、補正部３２２は、電波送信装置１から電波信号を受信した携行端末２の端末情報に対応する設定条件を用いることが好ましい。
【００９５】
この場合、所定エリア内の人の位置だけでなく、ユーザ毎に対象光源の点灯状態を設定できるので、照明環境をユーザ毎により細かく制御できる。
【００９６】
（実施形態３）
本実施形態の照明制御システム１００Ｂは、図７に示すように、照明制御装置３がサーバ３１Ａを備える。そして、サーバ３１Ａが、通信部３１０、照明指令部３１１、制御ルール記憶部３１３に加えて、位置判定部３１４、設置情報記憶部３１５、情報提供部３１６をさらに備える点が実施形態１とは異なる。なお、実施形態１と同様の構成には同一の符号を付して、説明は省略する。
【００９７】
設置情報記憶部３１５は、電波送信装置１のそれぞれの識別情報を、識別情報を付与された電波送信装置１の位置に対応付けた設置情報を予め格納している。設置情報は、識別情報のそれぞれに対応する電波送信装置１が、制御エリアＡ１内のどこの位置に対応するかを示す設置場所の情報である。
【００９８】
そして、位置判定部３１４は、設置情報記憶部３１５の設置情報を参照して、携行端末２における電波信号の受信状況に基づいて、携行端末２の位置（ユーザの位置）を判定する。具体的に、位置判定部３１４は、電波送信装置１１〜１６のそれぞれの電波信号の受信強度に基づいて、電波送信装置１１〜１６のそれぞれと携行端末２との間の距離を求める。そして、位置判定部３１４は、設置情報記憶部３１５の設置情報を参照して、電波送信装置１１〜１６のそれぞれと携行端末２との間の距離から、制御エリアＡ１内における携行端末２の位置を判定（検出）する。
【００９９】
制御ルール記憶部３１３には、照明制御装置３が実行する照明制御のルール（制御ルール）が予め登録されている。本実施形態の制御ルールでは、制御エリアＡ１内における携行端末２の位置に基づいて、携行端末２の位置を中心にして、携行端末２に近い光源５の調光レベルは高く設定し、携行端末２から遠い光源５の調光レベルは低く設定する。
【０１００】
そして、照明指令部３１１は、携行端末２の位置を中心にして、携行端末２に最も近い光源５ａ、携行端末２に２番目に近い光源５ｂ、携行端末２に３番目に近い光源５ｃを、制御対象となる対象光源として選択する。なお、図５において、光源５ａのグループを光源群５０１、光源５ｂのグループを光源群５０２、光源５ｃのグループを光源群５０３としている。
【０１０１】
照明指令部３１１は、制御ルールに基づいて、対象光源である光源５ａ，５ｂ，５ｃに対して調光レベルを設定する。たとえば、図７に示すように、携行端末２に最も近い光源５ａの調光レベルが「８」となり、携行端末２に２番目に近い光源５ｂの調光レベルが「５」となり、携行端末２に３番目に近い光源５ｃの調光レベルが「２」となる。
【０１０２】
照明指令部３１１は、対象光源である光源５ａ〜５ｃのそれぞれの調光レベルを設定した調光信号を統合管理端末３２へ送信する。統合管理端末３２は、調光信号を中継してサブシステム４へ送信する。
【０１０３】
サブシステム４では、親機４１が調光信号を受信する。そして、親機４１は、光源５ａ〜５ｃを配下に有する端末器４２ａへ調光信号を送信する。端末器４２ａのそれぞれは、調光信号に基づいて配下の光源５ａ〜５ｃのそれぞれを調光点灯させる。
【０１０４】
したがって、携行端末２を携行しているユーザの位置の照度が最も高くなり、ユーザから離れるにつれて、同心円状に照度が低下するので、ユーザが作業をしやすい照明環境に制御でき、かつ省エネルギー化を図ることもできる。すなわち、照明制御システム１００によって、制御エリアＡ１内に存在する人の位置に応じた照明制御を行うことができる。
【０１０５】
また、照明制御システム１００Ｂでも、実施形態１と同様に調光制御と調色制御との両方を行うことで、制御エリアＡ１の照明環境を特定の調光状態および特定の調色状態とするパターン制御が可能となる。
【０１０６】
たとえば、制御エリアＡ１が倉庫または工場であれば、作業者が携行端末２を携行する。この場合、携行端末２の位置に作業者が存在するので、この携行端末２の位置で行われる作業工程に応じた照明となるパターン制御が実行されるように、制御ルールが登録される。
【０１０７】
あるいは制御エリアＡ１が店舗であれば、顧客が携行端末２を携行する。この場合、携行端末２の位置に顧客が存在するので、携行端末２の位置に陳列されている商品に応じた照明となるパターン制御が実行されるように、制御ルールが登録される。
【０１０８】
さらに、情報提供部３１６は、制御エリアＡ１内における携行端末２の位置にユーザが存在するとして、ユーザの位置に応じた提供情報を携行端末２へ送信する。ユーザが工場、倉庫などの作業者である場合、提供情報は、ユーザの位置で行われる作業内容に関する情報（使用する器具の保守情報、作業の手順情報など）である。また、ユーザが店舗の顧客である場合、提供情報は、ユーザの位置に陳列されている商品に関する情報（商品名、商品の詳細など）である。
【０１０９】
したがって、照明制御システム１００Ｂは、所定エリア内に存在する人の位置に応じた照明制御に加えて、制御エリアＡ１内に存在する人の位置に応じた情報を提供することができ、利便性が向上する。
【０１１０】
上述の照明制御システム１００Ｂは、位置判定部３１４をさらに備えることが好ましい。位置判定部３１４は、識別情報と当該識別情報を付与された電波送信装置１の位置との対応関係を参照して、携行端末２が複数の電波送信装置１のそれぞれから受信した電波信号の強度に基づいて、所定エリア内における携行端末２の位置を判定する。そして、照明制御装置３は、携行端末２の位置に基づいて、対象光源を選択し、対象光源の点灯状態を制御する。
【０１１１】
したがって、所定エリア内に存在する人の位置がより詳細に検出されるので、照明制御システム１００Ｂによって、所定エリア内に存在する人の位置に応じた照明制御をより適切に行うことができる。
【０１１２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０１１３】
１００，１００Ａ，１００Ｂ  照明制御システム
Ａ１  制御エリア
１（１１，１２，．．．）  電波送信装置
２  携行端末
２２  操作部
３  照明制御装置
３１，３１Ａ  サーバ
３１０  通信部
３１１  照明指令部
３１２  対象記憶部
３１３  制御ルール記憶部
３１４  位置判定部
３１５  設置情報記憶部
３１６  情報提供部
３２，３２Ａ  統合管理端末
３２１  条件記憶部
３２２  補正部
４  サブシステム
５  光源
【図１】
0006655810.tif 000002
【図２】
0006655810.tif 000003
【図３】
0006655810.tif 000004
【図４】
0006655810.tif 000005
【図５】
0006655810.tif 000006
【図６】
0006655810.tif 000007
【図７】
0006655810.tif 000008